(57)【要約】【課題】簡易に適切な画質調整を行えるテレビ受像機およびテレビ受像システムを提供すること。【解決手段】放送信号に含まれる画像情報に応じた画像を表示する画像表示手段３３と、装置全体を制御する制御手段３１とを備えたテレビ受像機３は、放送信号に伴って送信される番組情報に含まれる番組種別情報と、当該番組種別情報に対応した画質設定情報とが記憶された第１記憶手段３１７を備える。このうち、制御手段３１は、放送信号から番組情報を抽出する番組情報抽出部３１２と、抽出した番組情報から番組種別情報を取得する種別情報取得部３１５と、取得した番組種別情報に応じた画質設定情報を、第１記憶手段３１７から選択する画質設定選択部と、選択された画質設定情報に基づいて、画像情報を調整する画質調整部と、調整された画像情報を出力する画像情報出力部とを備える。これにより、番組種別情報に応じた画質調整を行うことができる。【選択図】  図２
2006254195.tif 000002
【特許請求の範囲】
【請求項１】
入力される放送信号に含まれる画像情報に応じた画像を表示する画像表示手段と、前記画像表示手段を含む装置全体を制御する制御手段とを備えたテレビ受像機であって、
前記放送信号に伴って送信される番組情報に含まれる番組種別情報と、当該番組種別情報に対応した画質設定情報とが記憶された第１記憶手段を備え、
前記制御手段は、
前記放送信号から前記番組情報を抽出する番組情報抽出部と、
抽出した前記番組情報から前記番組種別情報を取得する種別情報取得部と、
取得した前記番組種別情報に応じた画質設定情報を、前記第１記憶手段から選択する画質設定選択部と、
選択された前記画質設定情報に基づいて、前記画像情報を調整する画質調整部と、
調整された前記画像情報を出力する画像情報出力部とを備えることを特徴とするテレビ受像機。
【請求項２】
請求項１に記載のテレビ受像機において、
入力する画像情報に応じた印刷を行う印刷装置が接続されるインターフェースを備え、
前記画像情報出力部は、前記調整された画像情報を、前記インターフェースを介して、前記印刷装置に出力することを特徴とするテレビ受像機。
【請求項３】
請求項２に記載のテレビ受像機において、
前記画像表示手段に表示された画像を読み出し可能に記憶する第２記憶手段を備え、
前記制御手段は、
前記画像表示手段に表示された画像を取り込んで前記第２記憶手段に記憶させる画像記憶部を備え、
前記種別情報取得部は、前記取り込んだ画像に係る前記番組種別情報を取得し、
前記画質調整部は、前記画質設定情報に基づいて、前記第２記憶手段に記憶された前記画像に係る画像情報を、印刷用の画像情報に調整することを特徴とするテレビ受像機。
【請求項４】
請求項１から請求項３のいずれかに記載のテレビ受像機において、
前記制御手段は、
前記画質調整部による前記画像情報の画質調整の設定を使用者に促す画質設定部を備えることを特徴とするテレビ受像機。
【請求項５】
入力される放送信号に含まれる画像情報に応じた画像を表示する画像表示手段、および、前記画像表示手段を含む装置全体を制御する制御手段を備えたテレビ受像機と、当該テレビ受像機に接続され、前記テレビ受像機から入力する印刷情報に基づく印刷を行う印刷装置とを備えたテレビ受像システムにおいて、
前記テレビ受像機は、
前記放送信号に伴って送信される番組情報に含まれる番組種別情報と、当該番組種別情報に対応した画質設定情報とが記憶された第１記憶手段を備え、
前記制御手段は、
前記放送信号から前記番組情報を抽出する番組情報抽出部と、
抽出した前記番組情報から前記番組種別情報を取得する種別情報取得部と、
取得した前記番組種別情報に応じた画質設定情報を、前記第１記憶手段から選択する画質設定選択部と、
選択された前記画質設定情報に基づいて、前記画像情報を調整する画質調整部と、
調整された前記画像情報を前記印刷装置に出力する画像情報出力部とを備えることを特徴とするテレビ受像システム。
【発明の詳細な説明】
【技術分野】
【０００１】
本発明は、入力される放送信号に含まれる画像情報に応じた画像を表示する画像表示手段と、前記画像表示手段を含む装置全体を制御する制御手段とを備えたテレビ受像機、および、テレビ受像機と当該テレビ受像機に接続される印刷装置とを備えるテレビ受像システムに関する。
【背景技術】
【０００２】
従来、放送信号から電子番組ガイド（Electronic Program Guide，ＥＰＧ）の番組情報を取得し、当該番組情報からテレビ番組等の番組表を生成して表示するテレビ受像機が知られている。このようなテレビ受像機は、放送信号から画像情報、音声情報およびＥＰＧ情報を分離抽出する情報抽出手段と、当該画像情報に応じた画像を表示する画像表示手段と、当該音声情報に応じた音声を出力する音声出力手段と、当該ＥＰＧ情報を処理するＥＰＧ情報処理手段と、これらを含む装置全体を制御する制御手段とを備えて構成されている。
【０００３】
ところで、テレビ受像機に印刷装置を設け、当該テレビ受像機の画像表示装置に表示される画像を印刷したいという要望が以前からあった。このような印刷を行うことができれば、例えば、料理番組および懸賞番組で紹介される料理のレシピおよび懸賞の応募画面を印刷して、短時間しか表示されないレシピや応募画面を紙等に書き写す際のミスが低減でき、また、好きな俳優、女優およびスポーツ選手等の画像を印刷用紙に印刷して、コレクションすることができるなど、テレビ受像機の利用価値が一層向上する。このような放送信号に含まれる画像情報に係る画像を印刷できる印刷装置が知られている（例えば、特許文献１参照）。
【０００４】
この特許文献１に記載の印刷装置は、放送信号からＥＰＧ情報を取得し、当該ＥＰＧ情報に含まれる番組名およびジャンルに応じたコンテンツを、ハードディスクに格納されたコンテンツを管理するコンテンツ管理テーブルから検索し、当該コンテンツを印刷する。この際、使用者は、片面印刷および両面印刷等の印刷設定を指定することができる。このような印刷装置により、番組名やジャンルに対して統一した印刷設定を行うことができ、これにより、コンテンツの種類ごとに印刷設定を指定して印刷することができる。
【０００５】
【特許文献１】特開２００４−１７２８３９号公報
【発明の開示】
【発明が解決しようとする課題】
【０００６】
しかしながら、特許文献１に記載の印刷装置で行われる印刷設定は、印刷形態によるものであるため、用紙に画像を印刷する際に、当該画像の画質調整は使用者が手動で行う必要がある。このため、当該印刷装置では、適切な画質調整を行おうとすると、操作が煩雑となるという問題がある。
【０００７】
本発明の目的は、適切な画質調整を簡易に行うことのできるテレビ受像機、および、テレビ受像システムを提供することである。
【課題を解決するための手段】
【０００８】
前述した目的を達成するために、本発明のテレビ受像機は、入力される放送信号に含まれる画像情報に応じた画像を表示する画像表示手段と、前記画像表示手段を含む装置全体を制御する制御手段とを備えたテレビ受像機であって、前記放送信号に伴って送信される番組情報に含まれる番組種別情報と、当該番組種別情報に対応した画質設定情報とが記憶された第１記憶手段を備え、前記制御手段は、前記放送信号から前記番組情報を抽出する番組情報抽出部と、抽出した前記番組情報から前記番組種別情報を取得する種別情報取得部と、取得した前記番組種別情報に応じた画質設定情報を、前記第１記憶手段から選択する画質設定選択部と、選択された前記画質設定情報に基づいて、前記画像情報を調整する画質調整部と、調整された前記画像情報を出力する画像情報出力部とを備えることを特徴とする。
【０００９】
ここで、番組情報としては、例えば、デジタル放送等に伴って送信されるＥＰＧ情報を挙げることができる。
また、番組種別情報としては、例えば、ＥＰＧ情報に含まれる番組ジャンル情報を挙げることができる。このような番組ジャンル情報は、スポーツ、映画、アニメ、ドラマ等の番組ジャンルを示すもので、各ジャンルに対応するコードが設定されている。
さらに、画質設定情報とは、例えば、画像の明るさ、コントラスト、ガンマ補正値およびシャープネス等を挙げることができる。
【００１０】
本発明によれば、テレビ受像機の制御手段を構成する番組情報抽出部により、入力される放送信号から番組情報が抽出され、種別情報取得部により、抽出された番組情報から番組種別情報が取得される。また、画質設定選択部により、取得された番組種別情報に応じた画質設定情報が第１記憶手段から選択され、当該画質設定情報に基づいて放送信号に含まれる画像情報に応じた画像の画質調整が施され、調整された当該画像情報は、画像情報出力部により出力される。
これによれば、入力される放送信号に含まれる画像情報に対して、当該放送信号に伴って送信される番組種別情報に応じた画質調整を行うことができるので、画像の種別に応じた画質調整を行うことができる。また、このような画質調整を行う際の画質設定情報は、放送信号に伴って送信される番組種別情報に応じて選択されるので、使用者が番組種別を確認して画質を設定する手間を省くことができる。従って、画像情報に応じた適切な画質調整を簡易に行うことができる。
【００１１】
本発明では、入力する画像情報に応じた印刷を行う印刷装置が接続されるインターフェースを備え、前記画像情報出力部は、前記調整された画像情報を、前記インターフェースを介して、前記印刷装置に出力することが好ましい。
本発明によれば、テレビ受像機から印刷装置に対して、画質調整された画像情報が出力されるので、印刷装置における画質調整処理を省略することができる。従って、処理能力の乏しい印刷装置でも適切な画質調整が行われた印刷を行うことができ、印刷装置の処理の負担を軽減することができる。
【００１２】
本発明では、前記画像表示手段に表示された画像を読み出し可能に記憶する第２記憶手段を備え、前記制御手段は、前記画像表示手段に表示された画像を取り込んで前記第２記憶手段に記憶させる画像記憶部を備え、前記種別情報取得部は、前記取り込んだ画像に係る前記番組種別情報を取得し、前記画質調整部は、前記画質設定情報に基づいて、前記第２記憶手段に記憶された前記画像に係る画像情報を、印刷用の画像情報に調整することが好ましい。
本発明によれば、画像記憶部により、画像表示手段に表示された画像が取り込まれて第２記憶手段に記憶され、当該取り込まれた画像に係る番組種別情報が、種別情報取得部により取得される。そして、取得された番組種別情報に基づいて、前述の画質設定選択部により画質設定情報が選択され、当該画質設定情報に基づいて、取り込まれた画像が、前述の画質調整部により印刷用の画像情報に調整される。
これによれば、使用者により任意の画像を、印刷対象として設定することができる。また、使用者により印刷対象に設定された画像、すなわち、第２記憶手段に取り込まれた画像は、画質調整部により、当該画像に係る番組種別情報に応じた画質設定情報に基づいて印刷用の画像情報に調整されるので、印刷に一層適した画像情報に変換して印刷装置に出力することができる。従って、印刷対象である画像情報に対して、より適切な画質調整を行うことができる。
【００１３】
本発明では、前記制御手段は、前記画質調整部による前記画像情報の画質調整の設定を使用者に促す画質設定部を備えることが好ましい。
本発明によれば、番組種別情報が取得できない場合などに、画質設定部が画像情報の画質設定を使用者に促すことにより、画質調整部によって行われる画質調整の設定を、使用者の所望の設定とすることができる。従って、画質の調整範囲を広げることができる。
【００１４】
また、本発明のテレビ受像システムは、入力される放送信号に含まれる画像情報に応じた画像を表示する画像表示手段、および、前記画像表示手段を含む装置全体を制御する制御手段を備えたテレビ受像機と、当該テレビ受像機に接続され、前記テレビ受像機から入力する印刷情報に基づく印刷を行う印刷装置とを備えたテレビ受像システムにおいて、前記テレビ受像機は、前記放送信号に伴って送信される番組情報に含まれる番組種別情報と、当該番組種別情報に対応した画質設定情報とが記憶された第１記憶手段を備え、前記制御手段は、前記放送信号から前記番組情報を抽出する番組情報抽出部と、抽出した前記番組情報から前記番組種別情報を取得する種別情報取得部と、取得した前記番組種別情報に応じた画質設定情報を、前記第１記憶手段から選択する画質設定選択部と、選択された前記画質設定情報に基づいて、前記画像情報を調整する画質調整部と、調整された前記画像情報を前記印刷装置に出力する画像情報出力部とを備えることを特徴とする。
【００１５】
本発明によれば、前述のテレビ受像機と同様の効果を奏することができる。
すなわち、テレビ受像機の制御手段を構成する番組情報抽出部が、放送信号から番組情報を抽出し、さらに、種別情報取得部が番組情報から番組種別情報を取得し、画質設定選択部が、取得された番組種別情報に応じた画質設定情報を第１記憶手段から選択する。そして、選択された画質設定情報に基づいて、画質調整部が、放送信号に含まれる画像情報の画質を調整し、当該画質調整が施された画像情報を、画像情報出力部が印刷装置に出力する。
これによれば、放送信号から抽出された画像情報に対して、番組種別情報に基づく画質調整を行うことができ、また、使用者が画質調整の設定を行う手間を省くことができる。従って、印刷装置に出力される画像情報に対して、適切な画質調整を行うことができ、使用者の操作を簡略化することができる。
【発明を実施するための最良の形態】
【００１６】
以下、本発明の一実施形態を図面に基づいて説明する。
（１）システム構成
図１は、本実施形態に係るテレビ受像システムの構成を示す図である。
本実施形態のテレビ受像システム１は、図１に示すように、テレビ受像機２と、プリンタ５とを備えて構成されている。
このうち、テレビ受像機２は、放送信号に含まれる画像情報を取得し、当該画像情報に基づく画像を形成して表示する受像機本体３と、この受像機本体３を遠隔操作するリモートコントローラ（以下、「リモコン」と略す場合がある）４とを備えている。なお、受像機本体３の構成は、後に詳述する。
【００１７】
リモコン４は、詳しい図示を省略したが、複数のキーを備え、ユーザによりキーが押下されると、当該入力キーに応じた制御信号を赤外線により受像機本体３に送信する。
このようなキーとして、チャンネルを切り替えるためのチャンネルキー、入力ソースを切り替える入力切替キー、音量を上下させる音量調節キー等が設けられている。また、リモコン４には、これらのキーのほかに、後述する画像取込／印刷処理Ｓにおいて、受像機本体３に、当該受像機本体３に表示された画像を取り込ませるためのキャプチャキー、表示された画面上の項目を選択する上下左右のカーソルキー、選択項目を確定する確定キー、および、選択を取り消すキャンセルキー等が設けられている。なお、リモコン４は赤外線によって操作信号を出力するとしたが、電波によって送信するように構成してもよい。
【００１８】
プリンタ５は、受像機本体３の制御下で、当該受像機本体３から入力する画像情報に基づく画像を印刷する。このプリンタ５は、ＵＳＢ（Universal Serial Bus）端子を備えており、当該端子を介して、受像機本体３の後述する外部インターフェース３２２に接続されている。なお、プリンタ５は、ＵＳＢ端子に限らず、他の接続端子、例えば、ＩＥＥＥ１３９４端子により受像機本体３と通信接続される構成としてもよく、また、無線ＬＡＮ等によって通信接続される構成としてもよい。
【００１９】
（２）受像機本体３の構成
図２は、受像機本体３の内部構成を示すブロック図である。
受像機本体３は、前述のように、放送信号に含まれるテレビ番組等の画像情報および音声情報を取得して、当該画像情報に応じた画像を形成・表示するとともに、当該音声情報に応じた音声を出力する。また、この受像機本体３は、放送信号に含まれて搬送される番組情報としてのＥＰＧ情報を抽出・取得して、必要に応じてＥＰＧ情報を表示する。
この受像機本体３は、図２に示すように、制御基板３１と、インターフェース基板３２と、画像表示部３３と、スピーカ３４とを備えて構成されている。
【００２０】
このうち、インターフェース基板３２は、制御基板３１と、リモコン４およびプリンタ５とを接続するものであり、入出力する制御信号およびデータの信号変換等を行う。このインターフェース基板３２は、リモコンインターフェース３２１と、外部インターフェース（ＩＦ）３２２とを備えている。
リモコンインターフェース３２１は、前述のリモコン４から出力された赤外線信号としての制御信号を受信し、当該制御信号を制御基板３１で処理できる形式に変換して、後述する制御基板３１のシステムコントローラ３１９に出力する。
外部インターフェース３２２は、ＵＳＢ端子を備えて構成され、入出力情報の変換等を行っている。この外部インターフェース３２２にはプリンタ５が接続されている。なお、この外部インターフェース３２２は、ＩＥＥＥ１３９４端子を備える構成としてもよい。すなわち、接続された機器との通信接続が可能であればよく、また、有線・無線を問わず通信方式も適宜変更してよい。
【００２１】
画像表示部３３は、本発明の画像表示手段に相当し、後述する制御基板３１の画像情報処理部３１４で処理された画像情報に応じた画像を形成、表示するものである。この画像表示部３３は、本実施形態では、液晶パネルおよび液晶パネル駆動回路を備えて構成されている。すなわち、本実施形態の受像機本体３は、液晶テレビとして構成されている。
スピーカ３４は、後述する制御基板３１の音声情報処理部３１３と接続され、当該音声情報処理部３１３で処理された音声情報に応じた音声を出力する。
【００２２】
制御基板３１は、本発明の制御手段に相当し、受像機本体３の装置全体を制御する回路基板として構成されている。
この制御基板３１は、チューナ３１１、デマルチプレクサ３１２、音声情報処理部３１３、画像情報処理部３１４、ＥＰＧ情報処理部３１５、ＣＰＵ（Central Processing Unit）３１６、フラッシュメモリ３１７、ＲＡＭ（Random Access Memory）３１８、および、システムコントローラ３１９を備えて構成され、これらがバスＢを介して互いに接続されている。
【００２３】
チューナ３１１は、アンテナから入力する放送信号から、使用者が選択したチャンネルに応じた周波数の放送信号を選択して受信し、一定周波数の信号に変換してデマルチプレクサ３１２に出力する。
デマルチプレクサ３１２は、チューナ３１１により変換された信号から、音声情報、画像情報、および、番組情報としてのＥＰＧ情報を分離、抽出する。これらのうち、音声情報は、音声情報処理部３１３に出力され、画像情報は画像情報処理部３１４に出力され、ＥＰＧ情報は、ＥＰＧ処理部３１５に出力される。すなわち、デマルチプレクサ３１２は、本発明の番組情報抽出部に相当する。
音声情報処理部３１３は、デマルチプレクサ３１２で抽出された音声情報を処理して、スピーカ３４を介して、当該音声情報に応じた音声を出力する。
【００２４】
画像情報処理部３１４は、デマルチプレクサ３１２から入力する画像情報を処理して、当該画像情報を画像表示部３３に出力する。この画像情報処理部３１４は、画像情報処理回路３１４１、描画処理回路３１４２、フレームメモリ３１４３および画像出力回路３１４４を備えている。
【００２５】
画像情報処理回路３１４１は、デマルチプレクサ３１２で分離、抽出された画像情報を処理して、再生可能な１フレームごとの画像情報にデコードする。
描画処理回路３１４２は、本発明の画質設定部を構成し、スケーラおよびＯＳＤ処理回路を備えて構成されている。このうち、スケーラは、画像表示部３３の解像度に合うように、表示画像のスケールを調整する。また、ＯＳＤ処理回路は、後述するＣＰＵ３１６の制御下でフラッシュメモリ３１７およびＲＡＭ３１８を参照して、これらに記憶された各種情報に基づくメニュー画面等を生成する。
フレームメモリ３１４３は、描画処理回路３１４２および画像出力回路３１４４に接続され、画像表示部３３で表示される画像の１フレームに相当する情報を描画処理回路３１４２から受け取って記憶し、画像出力回路３１４４に出力する。
画像出力回路３１４４は、フレームメモリ３１４３に書き込まれた表示画像の情報を読み取って、表示画像情報として画像表示部３３に出力する。
【００２６】
ＥＰＧ情報処理部３１５は、デマルチプレクサ３１２から入力するＥＰＧ情報を処理して、フラッシュメモリ３１７に記憶させる。具体的に、ＥＰＧ情報処理部３１５は、入力するＥＰＧ情報を項目毎に分類してフラッシュメモリ３１７に記憶させる。
このＥＰＧ情報には、例えば、画像表示部３３にて表示されるテレビ番組のジャンルを示す番組ジャンル情報が含まれる。すなわち、この番組ジャンル情報は、本発明の番組種別情報に相当し、ＥＰＧ情報処理部３１５は、本発明の種別情報取得部を構成する。
【００２７】
フラッシュメモリ３１７は、本発明の第１および第２記憶手段に相当し、後述するＣＰＵ３１６で実行されるプログラムや、当該プログラムの実行時に利用される各種データが記憶されている。具体的に、フラッシュメモリ３１７には、プログラムとして、受像機本体３を制御するための制御プログラム、および、後述する画像取込／印刷処理Ｓを実行するための画像取込／印刷実行プログラム等が記憶され、また、データとして、画像表示部３３に表示されるＯＳＤ（On Screen Display）メニューのテンプレート画像や、画像取込／印刷プログラムの実行時に参照される画質設定テーブル等が記憶されている。さらに、フラッシュメモリ３１７には、後述するＣＰＵ３１６の画像情報記憶部３１６１により取り込まれた画像情報や、当該画像情報に係る番組ジャンル情報が記憶される。なお、画質設定テーブルについては、後に詳述する。
ＲＡＭ３１８は、フラッシュメモリ３１７に記憶されたプログラムや各種データが、ＣＰＵ３１６で利用される際に、一時的に記憶される。
【００２８】
システムコントローラ３１９は、ＣＰＵ３１６の機能を補助するものであり、主に制御基板３１に対するデータ入出力を制御する。このシステムコントローラ３１９には、インターフェース基板３２が接続されている。
また、このシステムコントローラ３１９は、インターフェース基板３２の外部インターフェース３２２に接続されたプリンタ５に対して制御信号を出力して、印刷処理をプリンタ５に実行させる。
【００２９】
図３は、ＣＰＵ３１６の機能分類を示すブロック図である。
ＣＰＵ３１６は、制御基板３１全体の駆動を制御するものであり、フラッシュメモリ３１７から制御プログラムを読み込んで実行し、制御基板３１を構成する各処理部３１１〜３１９に制御信号を出力する。また、ＣＰＵ３１６は、必要に応じてフラッシュメモリ３１７から画像取込／印刷処理実行プログラムを読み込んで、画像取込／印刷処理Ｓを実行する。
このＣＰＵ３１６は、制御基板３１全体を制御する処理部のほか、後述する画像取込／印刷処理Ｓを実行する画像情報記憶部３１６１、ジャンル情報取得部３１６２、印刷画面表示指示部３１６３、画質設定選択部３１６４、画質調整部３１６５、画像情報出力部３１６６、画質設定画面表示指示部３１６７および画質情報設定部３１６８を機能として備えている。
【００３０】
画像情報記憶部３１６１は、本発明の画像記憶部に相当し、画像表示部３３に表示された画像を取り込んで、当該画像に係る画像情報をフラッシュメモリ３１７に記憶させる。詳述すると、画像情報記憶部３１６１は、リモコン４に設けられたキャプチャキーが入力され、当該キャプチャキーの入力に応じた制御信号が、インターフェース基板３２のリモコンインターフェース３２１からシステムコントローラ３１９を介して入力すると、当該制御信号の入力をトリガーとして実行される。そして、この画像情報記憶部３１６１は、当該制御信号が入力したタイミングで画像表示部３３に出力された画像を取り込んで、当該画像に係る画像情報をフラッシュメモリ３１７に一時的に記憶させる。
【００３１】
ジャンル情報取得部３１６２は、本発明の種別情報取得部を構成し、画像情報記憶部３１６１により画像の取り込みが行われる際に、当該画像に係る番組の番組ジャンル情報を取得する。
具体的に、ジャンル情報取得部３１６２は、リモコン４からキャプチャキーの入力に応じた制御信号が入力すると、デマルチプレクサ３１２およびＥＰＧ情報処理部３１５により抽出されたＥＰＧ情報から、画像表示部３３に表示している番組の番組情報を、フラッシュメモリ３１７を参照して取得する。この取得した番組ジャンル情報は、当該ジャンル情報取得部３１６２により、画像情報記憶部３１６１により取り込まれた画像と関連付けがなされた上で、フラッシュメモリ３１７に記憶される。
【００３２】
印刷画面表示指示部３１６３は、画像情報記憶部３１６１により記憶された画像の印刷を行う際に、画像表示部３３に印刷画面を表示させる。具体的には、印刷画面表示指示部３１６３は、画像情報処理部３１４の描画処理回路３１４２に制御信号を出力し、当該制御信号が入力した描画処理回路は、後述する印刷画面６（図６）を形成する。この印刷画面６は、フレームメモリ３１４３および画像出力回路３１４４を介して、画像表示部３３で表示される。
【００３３】
画質設定選択部３１６４は、ジャンル情報取得部３１６２により取得された番組ジャンル情報を参照し、当該番組ジャンル情報に応じた印刷用の画質設定情報を、画質設定テーブルから選択して取得する。
詳述すると、画質設定選択部３１６４は、リモコンインターフェース３２１およびシステムコントローラ３１９を介して、リモコン４から印刷キー入力に伴う印刷信号が入力すると、画像情報記憶部３１６１により記憶された画像に関連付けられてフラッシュメモリ３１７に記憶された番組ジャンル情報を参照する。そして、画質設定選択部３１６４は、当該番組ジャンル情報に対応する画質設定情報を、フラッシュメモリ３１７に記憶された画質設定テーブルから選択し、選択した画質設定情報をＲＡＭ３１８に一時的に記憶させる。
このように、ジャンル情報取得部３１６２が、取り込まれた画像に係る番組ジャンル情報を取得して、当該画像に関連付けてフラッシュメモリ３１７に記憶し、画質設定選択部３１６４が、当該番組ジャンル情報に応じた画質設定情報を選択することにより、取り込んだ画像に対応した画質設定情報を確実に選択することができ、適切な画質調整を行うことができる。
【００３４】
ここで、画質設定情報が設定された画質設定テーブルについて説明する。
この画質設定テーブルは、番組ジャンル情報の種類と、印刷用の画質設定情報とが対応して設定されたテーブルである。詳述すると、番組ジャンル情報は、スポーツ、映画、アニメ、ドラマ等の番組ジャンルが、それぞれコードで示されており、当該ジャンルに適した画像の明るさ、コントラスト、ガンマ補正値およびシャープネス等の数値が画質設定情報として対応付けられて設定されている。
例えば、番組ジャンル情報が映画を示すコードである場合には、画質設定が施されていない通常画像に比べ、画像を比較的暗くし、コントラストを強める設定がされている。なお、このような番組ジャンル情報ごとの画質設定情報については、適宜設定してよい。
【００３５】
画質調整部３１６５は、画質設定選択部３１６４により画質設定情報が選択されると、当該画質設定選択部３１６４で選択された画質設定情報に基づいて、画像情報記憶部３１６１により記憶された画像の画質を調整する。当該画質が調整された画像情報は、画質調整部３１６５により、再度ＲＡＭ３１８に記憶される。
【００３６】
画像情報出力部３１６６は、画質調整部３１６５による画像情報の画質調整がなされると、当該画質調整が行われた画像情報を、システムコントローラ３１９およびインターフェース基板３２の外部インターフェース３２２を介して、プリンタ５に出力する。これにより、プリンタ５に対して、取り込んだ画像に係る番組の番組ジャンル情報に基づく画質調整が行われた画像情報を出力することができる。
【００３７】
画質設定画面表示指示部３１６７は、前述の描画処理回路３１４２とともに本発明の画質設定部を構成し、画像情報記憶部３１６１により記憶された画像が、ＥＰＧ情報を取得できない番組に係る画像である場合や、当該画像の画質設定を使用者が手動で行う場合に、後述する画質設定画面７（図７）を表示させる。
具体的に、画質設定画面表示指示部３１６７は、描画処理回路３１４２に画質設定画面７を表示させる制御信号を出力し、当該描画処理回路３１４２は、フラッシュメモリ３１７に記憶された画質設定画面７のテンプレート画像を読み込んで、画質設定画面７の画像情報を生成する。この画像情報は、フレームメモリ３１４３および画像出力回路３１４４を介して画像表示部３３に出力され、当該画像情報に基づく画質設定画面７が表示される。
画質情報設定部３１６８は、画質設定画面７で設定された画質設定情報をＲＡＭ３１８に記憶させる。この画質設定情報は、画質調整部３１６５により参照可能とされる。
【００３８】
（３）画像取込／印刷処理Ｓ
図４および図５は、画像取込／印刷処理Ｓの処理フローを示す図である。
テレビ受像機２の受像機本体３は、表示画像を取り込むキャプチャキーの入力に応じた制御信号がリモコン４から入力すると、画像取込／印刷処理Ｓを実行する。この処理では、画像表示部３３に表示された画像を取り込んで画質調整を行った後、当該画像に係る画像情報を、受像機本体３に接続されたプリンタ５に出力する処理である。この処理は、受像機本体３の制御基板３１を構成するＣＰＵ３１６が、フラッシュメモリ３１７から画像取込／印刷実行プログラムを読み込んで、当該プログラムを実行することで順次処理される。
【００３９】
受像機本体３は、図４に示すように、画像表示等の処理を行いつつ、リモコン４からの制御信号の入力を待機しており（処理Ｓ３１）、制御信号の入力があった場合には、ＣＰＵ３１６は、当該信号の種別を判定する（処理Ｓ３２）。そして、ＣＰＵ３１６は、入力した制御信号に応じた処理を実行し、再び、処理Ｓ３１に戻って、制御信号の入力を待機する。
ここで、使用者により、リモコン４のキャプチャキーが入力され（処理Ｓ１１）、当該リモコン４が、受像機本体３に画像取込信号を出力すると（処理Ｓ２１）、受像機本体３のリモコンインターフェース３２１に入力した画像取込信号は、システムコントローラ３１９を介してＣＰＵ３１６に伝送される。そして、ＣＰＵ３１６が、処理Ｓ３２により、画像取込信号の入力を検出した場合には、現在、画像表示部３３にて表示されている画像の取り込みを実行する（処理Ｓ３３）。
【００４０】
この画像の取り込みは、ＣＰＵ３１６の画像情報記憶部３１６１により行われ、取得した画像に係る画像情報は、フラッシュメモリ３１７に記憶される。なお、当該画像情報は、フラッシュメモリ３１７ではなく、ＲＡＭ３１８に一時的に記憶させる構成としてもよいが、フラッシュメモリ３１７に記憶させる場合には、受像機本体３の電源がオフされた場合でも保存しておくことが可能である。これにより、取り込んだ画像を呼び出せば、使用者の所望の時間に、当該画像の表示・印刷が可能となる。
【００４１】
また、この処理Ｓ３３における画像情報記憶部３１６１による画像の取り込みとともに、ＣＰＵ３１６のジャンル情報取得部３１６２は、画像情報記憶部３１６１により取り込まれた画像に係るテレビ番組の番組ジャンル情報を、フラッシュメモリ３１７を参照して取得する（処理Ｓ３４）。この取得された番組ジャンル情報は、ジャンル情報取得部３１６２により、取込画像と関連付けられてフラッシュメモリ３１７に記憶される。
【００４２】
図６は、印刷画面を示す図である。
処理Ｓ３４の後、ＣＰＵ３１６の印刷画面表示指示部３１６３は、図６に示す印刷画面６を表示させる（処理Ｓ３５）。具体的には、前述のように印刷画面表示指示部３１６３は、印刷画面を形成させる制御信号を画像情報処理部３１４の描画処理回路３１４２に出力する。そして、当該制御信号が入力した描画処理回路３１４２は、フラッシュメモリ３１７のテンプレート画像等を参照して印刷画面６の画像情報を生成し、画像表示部３３に印刷画面６を表示させる。
この印刷画面６の表示の後、ＣＰＵ３１６は、リモコン４からの制御信号の入力を待機し（処理Ｓ３６）、信号入力があるか否かを判定する（処理Ｓ３７）。なお、ＣＰＵ３１６が、信号入力がないと判定した場合は、処理Ｓ３６に戻って信号入力待機を継続する。
【００４３】
ここで、印刷画面６について説明する。
印刷画面６は、図６に示すように、入力画像表示領域６１と、メニュー領域６２とから構成されている。このうち、入力画像表示領域６１には、テレビ番組や外部機器から入力した画像情報に基づく画像が表示される。
メニュー領域６２は、取込画像表示部６２１と、仮想キーからなる印刷キー６２２および画質設定キー６２３と、ジャンル表示部６２４とを備えて構成されている。
取込画像表示部６２１は、画像情報記憶部３１６１により取り込まれた画像が縮小されて表示される。この取込画像表示部６２１には、複数の取込済み画像がフラッシュメモリ３１７に記憶されている場合は、リモコン４のカーソルキーの操作により順次表示することが可能とされている。
【００４４】
印刷キー６２２は、取込画像表示部６２１に表示中の画像の印刷を使用者が選択する場合に入力される仮想キーである。また、画質設定キー６２３は、取込画像表示部６２１に表示中の印刷画質設定を使用者が行う場合に入力される仮想キーである。
ジャンル表示部６２４は、取込画像表示部６２１に表示中の画像に係る番組のジャンルを表示する部分である。このジャンル表示部６２４には、当該表示画像に関連付けてフラッシュメモリ３１７に記憶された番組ジャンル情報から、当該番組ジャンル情報に応じたジャンルが表示される。
【００４５】
この印刷画面６が表示されている場合において、図４に示すように、リモコン４の確定キーが入力され（処理Ｓ１２）、当該確定キーの入力に応じた確定信号がリモコン４から受像機本体３に入力すると（処理Ｓ２２）、受像機本体３のＣＰＵ３１６は、処理Ｓ３７で確定信号の入力を検出して、当該確定信号入力時に、印刷キー６２２および画質設定キー６２３のどちらかが選択状態にあったのかを判定する（処理Ｓ３８）。
ここで、ＣＰＵ３１６が、印刷キー６２２が選択状態にあったと判定した場合には、ＣＰＵ３１６の画質設定選択部３１６４は、取込画像表示部６２１に表示された画像に関連付けて記憶された番組ジャンル情報から、画質設定テーブルを参照して、当該番組ジャンル情報に対応する画質設定情報を選択する（処理Ｓ３９）。そして、選択された画質設定情報は、画質設定選択部３１６４により、ＲＡＭ３１８に一時的に記憶される。この処理Ｓ３９の後、画像取込／印刷処理Ｓは、後述する処理Ｓ４５に移行する。
【００４６】
図７は、画質設定画面７を示す図である。
一方、ＣＰＵ３１６が、確定信号が入力した際に画質設定キー６２３が選択状態にあったと判定した場合には、ＣＰＵ３１６の画質設定画面表示指示部３１６７は、図７に示す画質設定画面７を表示させる（処理Ｓ４０）。
具体的に、画質設定画面表示指示部３１６７は、前述のように、描画処理回路３１４２に、使用者に画質設定を促す画質設定画面を表示させる制御信号を出力する。この制御信号が入力した描画処理回路３１４２は、フラッシュメモリ３１７等を参照して、画質設定画面７の画像情報を生成し、当該画像情報を、フレームメモリ３１４３および画像出力回路３１４４を介して、画像表示部３３に出力して、当該画像情報に基づく画質設定画面７を表示させる。
【００４７】
ここで、画質設定画面７について説明する。
画質設定画面７は、図７に示すように、画質設定領域７１と、メニュー領域７２とを備えて構成されている。このうち、メニュー領域７２は、前述の印刷画面６におけるメニュー領域６２と同様の構成であるので、説明を省略する。
画質設定領域７１は、印刷画像の画質設定、すなわち、プリンタ５に出力する画像情報の画質設定を行う領域であり、本実施形態では、明るさ、コントラスト、ガンマおよびシャープネスが設定可能に構成されている。これら各項目は、リモコンのカーソルキーのうち、上下キーの入力により項目が選択され、左右キーの入力により項目の設定値を変更できるように構成されている。なお、画質設定画面７においては、明るさ、コントラスト、ガンマおよびシャープネスだけに限らず、色毎に調整できるような項目など、他の項目を設けるようにしてもよい。また、各項目値の変更に伴って、メニュー領域７２に表示された画像を、当該項目値にしたがって変更するようにしてもよい。
なお、数値は説明を分かり易くするための一例であり、この数値に限定されるものではなく、取込画像表示部６２１の画像に合わせて設定される。
【００４８】
処理Ｓ４０における画質設定画面７が表示されている場合において、使用者によりリモコン４のカーソルキーが入力され（処理Ｓ１３）、当該カーソルキーの入力に応じたカーソル移動信号がリモコン４から受像機本体３に出力されると（処理Ｓ２３）、当該カーソル移動信号が入力した受像機本体３を構成するＣＰＵ３１６の画質情報設定部３１６８は、カーソル移動信号の入力に応じた各項目の項目値を変更する。すなわち、画質情報設定部３１６８は、カーソルキーの入力に応じて、印刷用の画像情報の画質設定を変更する（処理Ｓ４１）。この変更された画質設定情報は、画質情報設定部３１６８により、印刷用の画質設定情報として、ＲＡＭ３１８に記憶されるとともに、ユーザ設定項目としてフラッシュメモリ３１７に記憶される。
【００４９】
この処理Ｓ４１の後、ＣＰＵ３１６は、リモコン４からの制御信号の入力待機を行い（処理Ｓ４２）、信号入力があるか否かを判定する（処理Ｓ４３）。ここで、信号入力が無いと判定した場合は、処理Ｓ４２に戻り、信号入力待機状態を継続する。
一方、使用者によりリモコン４の確定キーが入力され（処理Ｓ１４）、当該確定キー入力に応じた確定信号がリモコン４から受像機本体３に入力し（処理Ｓ２４）、受像機本体３のＣＰＵ３１６が当該確定信号の入力を検出した場合には、ＣＰＵ３１６は、確定信号入力の際に、画質設定画面７上の仮想キーである印刷キーが選択されていたか否かを判定する（処理Ｓ４４）。
【００５０】
ここで、ＣＰＵ３１６が、印刷キーは選択されていないと判定した場合には、処理Ｓ４１に戻って、画質設定を継続する。
一方、ＣＰＵ３１６が、印刷キーが選択されていると判定した場合には、ＣＰＵ３１６の画質調整部３１６５は、ＲＡＭ３１８に記憶された画質設定情報に基づいて、プリンタ５に出力する画像情報の画質調整を行う（処理Ｓ４５）。
この画質調整が行われる画像情報は、処理Ｓ４４から処理Ｓ４５に移行してきた場合には、画質設定画面７のメニュー領域７２に表示された画像に係る画像情報であり、処理Ｓ３９から処理Ｓ４５に移行してきた場合には、印刷画面６のメニュー領域６２に表示された画像に係る画像情報である。
また、画質調整部３１６５が参照する画質設定情報は、処理Ｓ４４から処理Ｓ４５に移行してきた場合には、画質情報設定部３１６８により設定されＲＡＭ３１８に記憶された画質設定情報であり、処理Ｓ３９から処理Ｓ４５に移行してきた場合には、画質設定選択部３１６４により画質設定テーブルから選択されてＲＡＭ３１８に記憶された画質設定情報である。
このようにして画質が調整された取込画像に係る画像情報は、画質調整部３１６５により一時的にＲＡＭ３１８に記憶される。
【００５１】
この処理Ｓ４５による画質調整の後、ＣＰＵ３１６の画像情報出力部３１６６は、調整された画像情報をＲＡＭ３１８から読み出して、システムコントローラ３１９およびインターフェース基板３２の外部インターフェース３２２を介して、プリンタ５に出力する（処理Ｓ４６）。この際、システムコントローラ３１９は、当該画像情報とともに印刷実行信号をプリンタ５に出力して、当該プリンタ５による印刷を実行させる。
以上のような処理により、画像取込／印刷処理Ｓは終了する。
【００５２】
以上のような本実施形態のテレビ受像システム１によれば、以下の効果を奏することができる。
すなわち、使用者の操作によりＣＰＵ３１６の画像情報記憶部３１６１が取り込んだ画像を印刷出力する際に、ジャンル情報取得部３１６２が、当該画像に係る番組ジャンル情報を取得し、画質設定選択部３１６４が、当該番組ジャンル情報に応じた印刷用の画質設定情報を、画質設定テーブルを参照して選択し、画質調整部３１６５が、当該画質設定情報に基づいて、取り込んだ画像の画質調整を行う。そして、画像情報出力部３１６６は、調整された画像情報をプリンタ５に出力する。
これによれば、出力する画像情報に対して、当該画像情報に係る番組ジャンルに応じた画質設定を行うことができるので、画像表示部３３に表示され印刷出力用に取り込んだ画像に対して、適切な画質設定を行うことができる。また、画質設定を決定する際の基礎となる番組ジャンル情報は、ＥＰＧ情報から取得されるので、使用者が設定する手間を省くことができる。
従って、取り込んだ画像に対する適切な画質設定を、簡易に行うことができる。
【００５３】
また、前述のような画像の画質設定をテレビ受像機２の受像機本体３で行うことにより、当該画像に係る画像情報が出力されるプリンタ５の処理を軽減することができる。
さらに、プリンタ５に出力される画像の画質は、使用者により設定することが可能でもあるので、ＥＰＧ情報を取得できない場合や、使用者が任意の画質設定を施したい場合にも対応することができる。従って、画像の画質設定の幅を広げることができる。
【００５４】
（４）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００５５】
前記実施形態では、番組情報としてＥＰＧ情報を、番組種別情報として番組ジャンル情報を挙げて説明したが、本発明はこれらに限定されるものではない。すなわち、番組情報および番組種別情報を、データ放送等から取得するように構成してもよく、また、フレーム情報間に番組情報が含まれる形式で放送される放送信号を受信して、前述のような処理を行う構成としてもよい。
また、画質設定テーブルには、スポーツ、映画、アニメ、ドラマ等の番組ジャンル情報に対応して画質設定情報が設定されているとしたが、番組ジャンル情報をサブカテゴリまで広げ、これに伴う詳細な画質設定情報を設定するようにしてもよい。すなわち、番組ジャンル情報として「スポーツ」が取得され、このジャンルのサブカテゴリとして「野球」が取得された場合に、より野球の画像に適した画質設定情報を画質設定テーブルに設定しておくように構成してもよい。
【００５６】
前記実施形態では、印刷出力用に取込画像の画質調整を行うとしたが、本発明はこれに限定されるものではない。例えば、画像表示部３３に表示するための画質調整を行うように構成してもよく、他の画像表示装置やパーソナルコンピュータ等に画像出力するために画質調整を行うように構成してもよい。このような場合でも、当該取込画像に係る番組の番組ジャンル情報に基づく画質調整が行われるので、適切な画質調整を行うことができる。
【００５７】
前記実施形態では、画質設定テーブルは、制御基板３１に設けられたフラッシュメモリ３１７に記憶されているとしたが、本発明はこれに限定されるものではない。例えば、フラッシュメモリ３１７に代えてＥＥＰＲＯＭ（Electrically Erasable Programmable Read Only Memory）を備える構成とし、当該ＥＥＰＲＯＭに画質設定テーブルが記憶されている構成としてもよい。また、受像機本体３がＨＤＤ（Hard Disk Drive）を備え、当該ＨＤＤに画質設定テーブルが記憶されている構成としてもよい。
また、ＣＰＵ３１６の画像情報記憶部３１６１により、取り込まれた画像に係る画像情報は、フラッシュメモリ３１７に記憶させるとしたが、他の記憶手段に読み出し可能に記憶させるように構成してもよい。例えば、当該画像情報は、ＲＡＭ３１８に一時的に記憶させる構成としてもよい。なお、不揮発性メモリであるフラッシュメモリ３１７に記憶させる構成とすれば、取込画像に係る画像情報を電源オフ状態でも記憶させておくことができ、画像情報を保存することができる。
【００５８】
前記実施形態では、印刷装置であるプリンタ５は、テレビ受像機２の受像機本体３に外部機器として接続される構成としたが、受像機本体３に内蔵される構成としてもよい。
【００５９】
前記実施形態では、テレビ受像機２は、画像表示部３３が液晶パネルを備える液晶テレビとして構成されるとしたが、本発明はこれに限らない。すなわち、放送信号を受信して、当該放送信号に含まれる画像情報に応じた画像を表示するテレビ受像機であれば、他の構成でもよい。例えば、プラズマディスプレイテレビ、プロジェクションテレビおよびＣＲＴ（Cathode Ray Tube）ディスプレイテレビ等を挙げることができる。
【産業上の利用可能性】
【００６０】
本発明は、放送信号を受信して、当該放送信号に応じた画像を表示するテレビ受像機に利用でき、特に、放送信号に含まれる画像情報を他の機器に出力することが可能なテレビ受像機に好適に利用することができる。
【図面の簡単な説明】
【００６１】
【図１】本発明の一実施形態に係るテレビ受像システムの構成を示す模式図。
【図２】前記実施形態における受像機本体の構成を示すブロック図。
【図３】前記実施形態におけるＣＰＵの機能分類を示すブロック図。
【図４】前記実施形態における画像取込／印刷処理の処理フローを示す図。
【図５】前記実施形態における画像取込／印刷処理の処理フローを示す図。
【図６】前記実施形態における印刷画面を示す図。
【図７】前記実施形態における画質設定画面を示す図。
【符号の説明】
【００６２】
１…テレビ受像システム、２…テレビ受像機、３１…制御基板（制御手段）、３３…画像表示部（画像表示手段）、３１２…デマルチプレクサ（番組情報抽出部）、３１５…ＥＰＧ情報処理部（種別情報取得部）、３１７…フラッシュメモリ（第１記憶手段、第２記憶手段）、３２２…外部インターフェース、３１４２…描画処理回路（画質設定部）、３１６１…画像記憶部（画像情報記憶部）、３１６２…ジャンル情報取得部（対応種別情報取得部）、３１６４…画質設定選択部、３１６５…画質調整部、３１６６…画像情報出力部、３１６７…画質設定画面表示指示部（画質設定部）。
【図１】
2006254195.tif 000003
【図２】
2006254195.tif 000004
【図３】
2006254195.tif 000005
【図４】
2006254195.tif 000006
【図５】
2006254195.tif 000007
【図６】
2006254195.tif 000008
【図７】
2006254195.tif 000009